(57)【要約】【課題】洗浄機能を有するレンジフードにおいて、排水容器から排水が溢れることを抑制する。【解決手段】汚染された空気を吸込む吸込口７を有するフード本体１と、フード本体１の内部に設けられ、吸込口７から吸込まれた空気を排気する排気装置２と、排気装置２の羽根車１０に設けられ、油を捕集する油捕集機構部１４と、油捕集機構部１４を浸漬させるための洗浄ケーシング３と、洗浄ケーシング３からの排水を流す排水ノズル４と、排水ノズル４から流れる排水を溜める排水容器５と、を備えたレンジフードであって、排水ノズル４は、水位検知部１７と、排水流路部１８と、を含み、排水容器５へ流れる排水は、排水流路部１８の内部を通過し、水位検知部１７は、排水流路部１８の外周に設けられ、排水容器５に溜まった排水の水位を検知する。【選択図】図２
2020008218.tif 000002
【特許請求の範囲】
【請求項１】
汚染された空気を吸込む吸込口を有するフード本体と、
前記フード本体の内部に設けられ、前記吸込口から吸込まれた空気を排気する排気装置と、
前記排気装置の羽根車に設けられ、油を捕集する油捕集機構部と、
前記油捕集機構部を浸漬させるための洗浄ケーシングと、
前記洗浄ケーシングからの排水を流す排水ノズルと、
前記排水ノズルから流れる排水を溜める排水容器と、を備えたレンジフードであって、
前記排水ノズルは、水位検知部と、排水流路部と、を含み、
前記排水容器へ流れる排水は、前記排水流路部の内部を通過し、
前記水位検知部は、前記排水流路部の外周に設けられ、前記排水容器に溜まった排水の水位を検知することを特徴とするレンジフード。
【請求項２】
前記水位検知部により前記排水容器内に排水が溜まっていると検知された場合には、前記排水容器への排水を行わず、
前記水位検知部により前記排水容器内に排水が溜まっていないと検知された場合には、排水容器への排水を行うことを特徴とする請求項１に記載のレンジフード。
【請求項３】
前記排水ノズルは、筒状の本体部を含み、
前記水位検知部および前記排水流路部は、前記本体部の内部に設けられることを特徴とする請求項１または２に記載のレンジフード。
【請求項４】
前記排水容器が前記フード本体に取り付けられている状態において、前記排水ノズルは、前記排水容器の底面近傍まで延設されていることを特徴とする請求項１〜３のいずれか１項に記載のレンジフード。
【発明の詳細な説明】
【技術分野】
【０００１】
本発明は、洗浄機能を備えたレンジフードに関するものである。
【背景技術】
【０００２】
従来、この種のレンジフードは、調理で発生する油煙や埃等を捕集する目的として、油捕集機構部が取り付けられていた。
【０００３】
この油捕集機構部は使用とともに汚れが付着するため、性能が低下したり、捕集部から油垂れが生じるので、定期的に掃除を行う必要があった。なお、それは排気用に設けられた羽根車についても同様である。
【０００４】
掃除の手間を軽減する目的で、油捕集機構部を自動的に浄化する手段として、給水部（給水容器）に溜められた水を羽根車に設けられた油捕集機構部に注入し、洗浄する方法が知られている（例えば、特許文献１参照）。
【０００５】
以下、そのレンジフードについて図７を参照しながら説明する。
【０００６】
図７に示すように、調理時に発生した油や室内の埃などの汚れは、排気用羽根車１０５を回転させることで、吸込口１０１からフード１０２内に吸い込まれ、排気用羽根車１０５の油捕集機構部にて捕集・蓄積されていく。
【０００７】
油捕集機構部の洗浄方法としては、まず駆動手段１１７により排気用羽根車１０５を回転させ、同時に給水ポンプ１１３により給水部１１２に貯めた水を汲み上げノズル１１１に供給する。そしてノズル１１１の噴射口（不図示）より噴射された水が膜状に蓄積した油や埃に衝突することで汚れの膜を破砕し剥離除去し、排気用羽根車１０５の回転による遠心力にて排気用羽根車１０５から飛散させて洗浄する。
【先行技術文献】
【特許文献】
【０００８】
【特許文献１】特開２０１４−６２７１２号公報
【発明の概要】
【発明が解決しようとする課題】
【０００９】
このような従来のレンジフードにおいては、油捕集機構部の洗浄後に生じる排水を溜める排水容器を設ける場合、排水容器内に前回洗浄時の排水が残留した状態でも排水が可能であり、その状態で排水が実施されると排水容器から水が溢れるおそれがあるという課題を有していた。
【００１０】
そこで本発明は、上記従来の課題を解決するものであり、排水容器内に排水が残留した状態では排水動作をしないようにし、排水容器から排水が溢れることを抑制するレンジフードを提供することを目的とする。
【課題を解決するための手段】
【００１１】
そして、この目的を達成するために、本発明の一態様に係るレンジフードは、汚染された空気を吸込む吸込口を有するフード本体と、前記フード本体の内部に設けられ、前記吸込口から吸込まれた空気を排気する排気装置と、前記排気装置の羽根車に設けられ、油を捕集する油捕集機構部と、前記油捕集機構部を浸漬させるための洗浄ケーシングと、前記洗浄ケーシングからの排水を流す排水ノズルと、前記排水ノズルから流れる排水を溜める排水容器と、を備えたレンジフードであって、前記排水ノズルは、水位検知部と、排水流路部と、を含み、前記排水容器へ流れる排水は、前記排水流路部の内部を通過し、前記水位検知部は、前記排水流路部の外周に設けられ、前記排水容器に溜まった排水の水位を検知することができ、これにより所期の目的を達成するものである。
【発明の効果】
【００１２】
本発明によれば、排水容器内に排水が残留した状態では排水動作をしないようにし、排水容器から排水が溢れることを抑制するレンジフードを得ることができる。
【図面の簡単な説明】
【００１３】
【図１】本発明の実施の形態のレンジフードを示す側面構成図
【図２】排水容器周辺の断面構成図
【図３】排水ノズルの構成図
【図４】排水容器に排水が溜まっていない状態を示す断面構成図
【図５】排水容器に排水が溜まっている状態を示す断面構成図
【図６】洗浄ケーシングおよび排水容器に排水が溜まっている状態を示す断面構成図
【図７】従来のレンジフードを示す側面構成図
【発明を実施するための形態】
【００１４】
本発明の一態様に係るレンジフードは、汚染された空気を吸込む吸込口を有するフード本体と、前記フード本体の内部に設けられ、前記吸込口から吸込まれた空気を排気する排気装置と、前記排気装置の羽根車に設けられ、油を捕集する油捕集機構部と、前記油捕集機構部を浸漬させるための洗浄ケーシングと、前記洗浄ケーシングからの排水を流す排水ノズルと、前記排水ノズルから流れる排水を溜める排水容器と、を備えたレンジフードであって、前記排水ノズルは、水位検知部と、排水流路部と、を含み、前記排水容器へ流れる排水は、前記排水流路部の内部を通過し、前記水位検知部は、前記排水流路部の外周に設けられ、前記排水容器に溜まった排水の水位を検知するという構成を有する。
【００１５】
排水容器内部の水位を水位検知部が検知することで、排水容器内に排水が残留した状態では排水動作をしないようにし、排水容器から排水が溢れることを抑制できるレンジフードを得ることができる。
【００１６】
以下、本発明の実施の形態について図面を参照しながら説明する。
【００１７】
（実施の形態１）
図１に示すように、レンジフードは、フード本体１と、排気装置２と、洗浄ケーシング３と、排水ノズル４と、排水容器５と、装着部材６とを備える。
【００１８】
フード本体１は吸込口７を有する。調理器（不図示）等の上方において、調理にて発生した油煙や周囲に浮遊する埃である微小物を捕集する吸込口７を使用者（不図示）が立っている前方側に設ける。
【００１９】
フード本体１の天面には、屋外と連通したダクト８を介して連通する吐出口９を設ける。フード本体１の内部には遠心ファンである羽根車１０を包括した洗浄ケーシング３を配設する。
【００２０】
排気装置２は、羽根車１０およびモータ１１で構成される。
【００２１】
フード本体１の内部において、羽根車１０を介し吸込口７と吐出口９を結ぶ通風路１２を形成している。
【００２２】
フード本体１内の吸込口７の近傍には平坦な整流板１３が設けられる。
【００２３】
羽根車１０には油や埃を捕集するための油捕集機構部１４が設けられる。
【００２４】
洗浄ケーシング３内において、羽根車１０の外側の下方に羽根車１０を浸漬させるための貯水部(不図示)が設けられている。
【００２５】
洗浄ケーシング３の下方には洗浄ケーシング３から排出する水を溜める排水容器５と、洗浄ケーシング３から排水容器５に排水を導く排水ノズル４が設けられる。
【００２６】
装着部材６はフード本体１の内部奥側に設けられる。
【００２７】
排水容器５は、装着部材６に装着され、装着部材６を介してフード本体１に装着される。
【００２８】
ここで、本実施形態のレンジフードの基本的な内容を説明する。
【００２９】
油煙等を含む空気は、排気装置２によって吸込口７から吸い込まれ、通風路１２を通って、吐出口９からアダプター１５を介してダクト８へ吐き出される。
【００３０】
この際、油捕集機構部１４に油等が付着する。油捕集機構部１４に付着した油煙や埃等を取り除くためには油捕集機構部１４を洗浄する必要がある。
【００３１】
洗浄は、洗浄ケーシング３内において羽根車１０および油捕集機構部１４の一部を、給水部（不図示）から供給される水に浸した状態で、羽根車１０を回転させることにより行う。なお、洗浄中は弁（不図示）により、排水ノズル４から水が排出されないようになっている。この弁は、例えば洗浄ケーシング３と排水ノズル４との間に設けられる。
【００３２】
洗浄後の水は排水として排水ノズル４を通って排水容器５に溜められる。
【００３３】
その後、使用者は、排水容器５をフード本体１から取り外して、排水容器５に溜まった水を捨てることにより、空になった排水容器５をフード本体１に装着することができる。
【００３４】
空になった排水容器５をフード本体１に装着することにより、洗浄後の排水を排水容器５に再度溜めることができる状態となる。
【００３５】
本実施形態では、排水容器５の内部に前回洗浄時の排水が残留した状態では、排水が行われないように、排水ノズル４を工夫している。
【００３６】
以下、排水ノズル４について図２および図３を用いて詳細に説明する。
【００３７】
図２に示すように、排水ノズル４は、ノズルの外郭である本体部１６と、水位検知部１７と、排水流路部１８とを含む。
【００３８】
水位検知部１７は、排水容器５に溜められる排水の水位を検知する。また、水位検知部１７は排水流路部１８の外周に設けられる。
【００３９】
排水流路部１８は、洗浄ケーシング３から排水を排水容器５に排出するための、排水の流路である。排水の流れ１９に示すように、洗浄ケーシング３からの排水は排水流路部１８の内部を通って排水容器５へと導かれる。
【００４０】
図２および図３に示すように、排水ノズル４の外郭である本体部１６は円筒状であり、内部に水位検知部１７と排水流路部１８を有する。
【００４１】
水位検知部１７は例えば円筒状であり、円筒状の内周に排水流路部１８の排水流路部外郭２０が収まる。すなわち、水位検知部１７は例えばドーナッツ形状で、中央の穴に排水流路部１８の一部が貫通している。このとき、洗浄ケーシング３からの排水は排水流路部外郭２０の内側を通って排水容器５へ流れる。なお、図３に示す形状は一例であり、この形状に限定されない。
【００４２】
水位検知部１７は、内部に磁石(不図示)を有しており、また、排水流路部外郭２０の外周側底面にも磁石(不図示)が設けられている。
【００４３】
これらの磁石により、排水容器５の内部が空の状態なのか、前回洗浄時の排水が残留した状態なのかが検知できる。
【００４４】
図４に示すように、油捕集機構部１４の洗浄後は、排水４１が洗浄ケーシング３内に溜まっている。洗浄中および洗浄直後において、排水４１は弁（不図示）を閉じることにより排水ノズル４から排水容器５に流れないようになっている。
【００４５】
ここで、排水容器５は、蓋部２１と、開口部２２と、トレイ部２３とを含む。
【００４６】
蓋部２１は、排水容器５の天面に設けられ、開口部２２を有している。
【００４７】
トレイ部２３は、排水容器５の底面を含む部分であって、排水４１を溜めることができる。
【００４８】
トレイ部２３に蓋部２１が取り付けられることで、排水容器５をフード本体１から取り外す際に、トレイ部２３に溜まった排水４１がこぼれることを抑制できる。
【００４９】
排水容器５が装着部材６によりフード本体１に装着されると、筒状の排水ノズル４は、開口部２２を貫通する。すなわち、排水容器５が装着部材６によりフード本体１に装着されている状態においては、排水ノズル４を構成する本体部１６の一部および排水流路部１８の一部は開口部２２を貫通した状態となる。
【００５０】
ここで、水位検知部１７による検知方法について詳しく説明する。
【００５１】
図４に示すように、排水容器５の内部に排水が残留していないときは、水位検知部１７に浮力がかからないため、重力により水位検知部１７が排水ノズル４の最下部近傍にあることとなる。この状態のとき、水位検知部１７の内部の磁石(不図示)が排水流路部１８の最下部に設けた磁石(不図示)が反応することで、「排水容器５内に排水が溜まっていない（排水容器５は空である）」と検知され、弁(不図示)が開き、洗浄ケーシング３の内部に溜まった洗浄後の排水４１が排水ノズル４を通過して排水容器５に溜まる。
【００５２】
一方、図５に示すように、弁(不図示)が開いて洗浄後の排水４１が排水容器５に溜まった場合、水位検知部１７が浮力で上昇する。この時、水位検知部１７の内部の磁石(不図示)が排水流路部１８の最下部に設けた磁石(不図示)と反応せず、排水容器５の内部に排水４１が残留している、すなわち、排水容器５が空でないことを検知する。
【００５３】
図６に示すように、排水容器５に排水４１が残留した状態で、洗浄ケーシング３で次の洗浄を行った場合は、洗浄ケーシング３と排水容器５の両方に排水４１が溜まっていることとなる。このとき、排水容器５に排水４１が溜まっているため上述したように、水位検知部１７の磁石と排水流路部１８の磁石とが反応せず、水位検知部１７により排水容器５が空でないことを検知する。このとき弁(不図示)は開かず、洗浄ケーシング３の内部に溜まった洗浄後の排水４１は排水されることがない。
【００５４】
このように、本実施形態によれば、排水容器５の内部に排水４１が残留した状態では排水せず、排水容器５から排水４１が溢れることを抑制できるレンジフードを得ることができる。
【００５５】
なお、図２に示すように、排水４１が弁(不図示)を通過した後に排水ノズル４を通じて排水容器５に排水されるため、排水容器５の蓋部２１に排水４１が飛散するおそれが軽減する。
【００５６】
また、図２に示すように、水位検知部１７を設けるために排水流路部外郭２０は漏斗形状であることが好ましい。このとき、排水流路部の出口面積１８ａが小さいと排水に時間を要することになるため、水位検知部の厚み１７ａを薄くして、排水流路部の出口面積１８ａを確保することが好ましい。
【００５７】
また、排水ノズル４の外郭である本体部１６の外周を大きくすることで排水流路部の出口面積１８ａを確保することが好ましい。なお、このように本体部１６の外周を大きくした場合であっても、蓋部２１の開口部２２に対し、ひと回り小さくすることで排水容器５をフード本体１から着脱する際に支障がない大きさにすることが望ましい。
【００５８】
また、蓋部２１の開口部２２は、排水容器５をフード本体１から着脱するのに支障のない、すなわち排水ノズル４を抜き差しするのに支障のない開口面積とすることで、排水容器５をフード本体１から取り外す際に排水４１が開口部２２から溢れ出ることを抑制することができる。
【００５９】
また、図４に示すように、排水容器５が装着部材６に装着されている状態において、排水ノズル４、特に本体部１６の一部および排水流路部１８の一部は、排水容器５、具体的にはトレイ部２３の底面近傍まで延設されていることが望ましい。これにより、排水４１の水はねにより排水容器５内部や排水ノズル４が汚れることを抑制することができる。
【００６０】
以下、実施の形態について補足する。
【００６１】
本発明の一態様に係るレンジフードは、汚染された空気を吸込む吸込口７を有するフード本体１と、フード本体１の内部に設けられ、吸込口７から吸込まれた空気を排気する排気装置２と、排気装置２の羽根車１０に設けられ、油を捕集する油捕集機構部１４と、油捕集機構部１４を浸漬させるための洗浄ケーシング３と、洗浄ケーシング３からの排水４１を流す排水ノズル４と、排水ノズル４から流れる排水４１を溜める排水容器５と、を備えたレンジフードであって、排水ノズル４は、水位検知部１７と、排水流路部１８と、を含み、排水容器５へ流れる排水４１は、排水流路部１８の内部を通過し、水位検知部１７は、排水流路部１８の外周に設けられ、排水容器５に溜まった排水４１の水位を検知する機構を有する。
【００６２】
排水容器５の内部の水位を水位検知部１７が検知することで、排水容器５の内部に排水４１が残留した状態では排水をしないようにし、排水容器５から排水４１が溢れることを抑制できるレンジフードを得ることができる。
【００６３】
水位検知部の厚さ１７ａを薄くし、排水流路部の出口面積１８ａすなわち排水流路部１８の出口部の開口面積を確保することが好ましい。
【００６４】
これにより、洗浄ケーシング３からの排水４１の排出を良好に続けることができる。
【００６５】
また、排水容器５の蓋部２１の開口部２２は、排水ノズル４の外郭である本体部１６を通すのに支障のない大きさを確保すればよく、開口部の開口面積を抑えることで、排水容器５をフード本体１から取り外す際に排水４１が開口部２２から溢れ出ることを抑制することができる。
【００６６】
また、水位検知部１７により排水容器５内に排水４１が溜まっていると検知された場合には、排水容器５への排水動作を行わず、水位検知部１７により排水容器５内に排水４１が溜まっていないと検知された場合には、排水容器５への排水動作を行うという構成であってもよい。
【００６７】
これにより、排水容器５内部に排水４１が溜まっている状態で排水動作を行うことを抑制し、排水容器５から排水４１が溢れることを抑制することができる。
【００６８】
さらに、排水ノズル４は、筒状の本体部１６を含み、水位検知部１７および排水流路部１８は、本体部１６の内部に設けられるという構成であってもよい。
【００６９】
これにより、水位検知部１７および排水流路部１８が排水４１により汚れることを抑制することができる。さらに、水位検知部１７が汚れることによって水位検知部１７が動きにくくなり、正しく水位を検知できなくなることを抑制することができる。
【００７０】
また、排水容器５がフード本体１に取り付けられている状態において、排水ノズル４は、排水容器５の底面近傍まで延設されているという構成であってもよい。
【００７１】
これにより、排水４１の水はねにより排水容器５内部や排水ノズル４が汚れることを抑制することができる。
【００７２】
以上、本発明に係るレンジフードについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００７３】
本発明に係るレンジフードは、洗浄機能を備えたレンジフード等として有用である。
【符号の説明】
【００７４】
１    フード本体
２    排気装置
３    洗浄ケーシング
４    排水ノズル
５    排水容器
６    装着部材
７    吸込口
８    ダクト
９    吐出口
１０    羽根車
１１    モータ
１２    通風路
１３    整流板
１４    油捕集機構部
１５    アダプター
１６    本体部
１７    水位検知部
１７ａ    水位検知部の厚み
１８    排水流路部
１８ａ    排水流路部の出口面積
１９    排水の流れ
２０    排水流路部外郭
２１    蓋部
２２    開口部
２３    トレイ部
４１    排水
【図１】
2020008218.tif 000003
【図２】
2020008218.tif 000004
【図３】
2020008218.tif 000005
【図４】
2020008218.tif 000006
【図５】
2020008218.tif 000007
【図６】
2020008218.tif 000008
【図７】
2020008218.tif 000009